(57)【特許請求の範囲】
【請求項１】
ステータコアと、該ステータコアに装着されたインシュレータを介して巻回されたコイルと、該コイルとリード線とを電気的に接続する端子ピンを備える端子部を具備したレゾルバのステータ構造において、
前記端子ピンは前記コイルのコイル端末を絡げるための絡げ部と前記リード線を接合するための接合部を有し、
前記端子部は前記リード線を収納する溝部を有し、
前記コイルのコイル端末は前記端子ピンの前記絡げ部に接合し、
前記リード線は前記端子ピンの前記接合部に接合すると共に前記溝部に収納して前記ステータコアの中心に向かって引き出し、前記端子部にキャップを装着し、
前記インシュレータは上側インシュレータと下側インシュレータからなり、
前記端子部は上側端子部と下側端子部からなり、
前記上側端子部は前記上側インシュレータと一体に成形されて前記端子ピンを備え、
前記下側端子部は前記下側インシュレータと一体に成形されて前記溝部を備え、
前記上側端子部と前記下側端子部は互いに接合面同士が接合してなることを特徴とするレゾルバのステータ構造。
【請求項２】
前記端子ピンは前記上側インシュレータにインサートモールドされていることを特徴とする請求項１に記載のレゾルバのステータ構造。
【発明の詳細な説明】
【技術分野】
【０００１】
本発明はレゾルバのステータ構造に関し、特にステータの中心方向にリード線を引き出すための端子部の構造に関する。
【背景技術】
【０００２】
従来、回転角度センサとして用いられるレゾルバは、ステータに設けられたコイルへの給電や検出信号を外部に伝えるためにリード線を用いている。ステータに設けられたコイルとリード線とは半田や圧着などで接続するのが一般的である（例えば、特許文献１参照）。
【０００３】
図５は特許文献１に記載されたレゾルバの端子ピン構造を示す図、図６は図５における端子ピンを示す図である。輪状ステータ３１の端部には、断面コ字型をなすアンダーカバー３３が設けられ、アンダーカバー３３の上面には端子ピン３４を保持しプラスチックからなるプラスチック体３５が設けられている。端子ピン３４の突出部３４ａはプラスチック体３５を貫通して上方に突出し、この突出部３４ａにコイル３２の端部が接続されている。そして、コネクタ３６に接続されたリード線３７は端子ピン３４に圧着接続されて輪状ステータ３１の外方に引き出されている。
【先行技術文献】
【特許文献】
【０００４】
【特許文献１】特開平１１−０９８７４７号公報
【発明の概要】
【発明が解決しようとする課題】
【０００５】
しかしながら、図５に示すような従来のステータ構造において、リード線３７を輪状ステータ３１の中心方向に引き出す必要がある場合、リード線３７を輪状ステータ３１の中心方向に折り曲げなければならず、アンダーカバー３３の下面の角部と接触してリード線３７にストレスや損傷が生じ易い。また、アンダーカバー３３の下面の角部との接触を避けるためにリード線３７とアンダーカバー３３の角部との間に隙間を設けて曲げを大きくした場合にはリード線３７が浮き上がってしまい、リード線３７が他の部品と接触し易くなる結果、信頼性が損なわれる虞がある。また、リード線３７を折り曲げることによってリード線３７の圧着部分での圧着強度が低下して信頼性が低下する虞がある。
【０００６】
本発明は上記問題に鑑みてなされたもので、その目的とするところは、リード線をステータの中心方向に引き出す構造のレゾルバにおいて、リード線の損傷や接続箇所での接続強度を低下させることなく、信頼性の高いレゾルバのステータ構造を提供することを目的とする。
【課題を解決するための手段】
【０００７】
本発明に係るレゾルバのステータ構造は、ステータコアと、該ステータコアに装着されたインシュレータを介して巻回されたコイルと、該コイルとリード線とを電気的に接続する端子ピンを備える端子部を具備したレゾルバのステータ構造において、前記端子ピンは前記コイルのコイル端末を絡げるための絡げ部と前記リード線を接合するための接合部を有し、前記端子部は前記リード線を収納する溝部を有し、前記コイルのコイル端末は前記端子ピンの前記絡げ部に接合し、前記リード線は前記端子ピンの前記接合部に接合すると共に前記溝部に収納して前記ステータコアの中心に向かって引き出し、前記端子部にキャップを装着し、前記インシュレータは上側インシュレータと下側インシュレータからなり、
前記端子部は上側端子部と下側端子部からなり、前記上側端子部は前記上側インシュレータと一体に成形されて前記端子ピンを備え、前記下側端子部は前記下側インシュレータと一体に成形されて前記溝部を備え、前記上側端子部と前記下側端子部は互いに接合面同士が接合してなることインペラーを有するロータを設け、前記ロータを回転させることによって前記インペラーを回転させて送風を行うファンモータにおいて、カップ部の外側面に前記インペラーを設け、前記カップ部の内側の中央に前記ロータの回転軸となるシャフトを設け、前記シャフトの上端部を鍛造加工によって径方向に突出する頭部を形成し、該頭部には凹凸部を形成し、前記ロータとの接合箇所となる前記カップ部の前記中央に前記シャフトの前記頭部を包み込んで前記カップ部と一体成型したことを特徴とする。
【発明の効果】
【０００８】
本発明のレゾルバのステータ構造によれば、リード線をステータの中心方向に引き出す構造のレゾルバにおいて、リード線の損傷や接続箇所での接続強度を低下させることなく、信頼性の高いレゾルバのステータ構造を提供できる。
【図面の簡単な説明】
【０００９】
【図１】本発明のレゾルバのステータ構造を示した正面図である。
【図２】図１におけるステータ構造の側面図である。
【図３】図１における端子部の拡大斜視図である。
【図４】図１における端子部の断面図である。
【図５】従来のレゾルバの端子ピン構造を示す図である。
【図６】図５における端子ピンを示す図である。
【発明を実施するための形態】
【００１０】
以下、図面に基づき、本発明のレゾルバのステータ構造の実施例について説明する。
図１は本発明のレゾルバのステータ構造を示した正面図、図２は図１におけるステータ構造の側面図、図３は図１における端子部の拡大斜視図、図４は図１における端子部の断面図である。
【００１１】
図１において、本発明のレゾルバのステータ構造１では、積層構造からなるステータコア２は環状のヨーク部３から内側に突出する複数のティースを備えている。絶縁性樹脂からなるインシュレータ５は下側インシュレータ６と上側インシュレータ７からなり、下側インシュレータ６と上側インシュレータ７をステータコア２の軸方向両側から装着した後、ティースの箇所にはそれぞれインシュレータ５の上からコイル８が巻回されており、コイル８のコイル端末は端子部９に備えられた端子ピン１２に絡げられると共に、端子部９には複数のリード線１３が接合されている。
【００１２】
端子部９の構造について詳細に説明する。端子部９は下側端子部１０と上側端子部１１からなっており、下側端子部１０は下側インシュレータ６の一端に一体に成形され、上側端子部１１は上側インシュレータ７の一端に一体に成形されている。そして、上側端子部１１には複数の端子ピン１２を備え、端子ピン１２は、その一端がコイル端末を絡げるための絡げ部１２ａを有し、他端がリード線１３を接合するための接合部１２ｂを有しており、端子ピン１２は絡げ部１２ａが軸方向を向いて、上側端子部１１より突出するようにインサートモールドにて上側端子部１１に一体に形成されている。また、下側端子部１０の下面にはリード線１３を収納するために、ステータコア２の中心方向に伸びる複数の溝部１５が形成されている。
【００１３】
ステータコア２の軸方向両側から下側インシュレータ６と上側インシュレータ７を装着した際、下側インシュレータ６の下側端子部１０と上側インシュレータ７の上側端子部１１はそれぞれの接合面が階段状に形成されているため、両者は容易に接合面同士が接合されて端子部９を形成する。インシュレータ５の上からコイル８を巻回した後、コイル８のコイル端末は端子ピン１２の絡げ部１２ａに絡げられる。リード線１３は一方の先端には圧着端子１４が圧着されており、圧着端子１４を端子ピン１２の接合部１２ｂに接合させ、リード線１３を下側端子部１０の溝部１５の中に収納させる。下側端子部１０の溝部１５の側壁には凸部が形成されているため、リード線１３を押し込むようにして溝部１５の中に収納することにより、リード線１３は下側端子部１０の下面からの突出が防止されて支持固定される。リード線１３を下側端子部１０の溝部１５の中に収納し、リード線１３に圧着した圧着端子１４を端子ピン１２の接合部１２ｂに接合させた後、図示しない溶接機の電極を圧着端子１４と端子ピン１２に接続させて溶接することによって圧着端子１４と接合部１２ｂが固着して電気的に接続されると共に、コイル端末が絡げ部１２ａに固着して電気的に接続される。このように、リード線１３およびコイル端末の絡げ部１２ａが溶接にて電気的に接続されるため、半田付け作業が不要になる。そして、以上の構成により、リード線１３はリード線１３を折り曲げることなく、ステータ構造１の中心方向に引き出すことができる。
【００１４】
次にリード線１３を端子ピン１２と電気的に接続した後、上側端子部１１の側面１１ａから径方向に絶縁性樹脂からなるキャップ１６を端子部９に装着する。このキャップ１６の装着によって下側端子部１０と上側端子部１１が強固に接合し、リード線１３を押さえ込むことによってリード線１３の浮き上がりを防止する。また、キャップ１６を端子部９に装着することによって絡げ部１２ａと接合部１２ｂがキャップ１６に覆われることにより露出を防止して高い信頼性を奏することができる。
【００１５】
なお、キャップ１６の端子部９への装着における構造は特に限定しないが、端子部９の側面に案内溝を形成し、この案内溝を介してキャップ１６を装着してもよく、また、端子部９またはキャップ１６のいずれかに係合爪、あるいは凹凸を形成し両者を係合させて装着してもよい。
【００１６】
図１において、２０はロータであり、便宜上、ロータ２０の配置状況を示したもので、ロータ２０はこの構造に限定されるものではないことは勿論である。
【符号の説明】
【００１７】
１    ステータ構造
２    ステータコア
３    環状のヨーク部
５    インシュレータ
６    下側インシュレータ
７    上側インシュレータ
８    コイル
９    端子部
１０    下側端子部
１１    上側端子部
１２    端子ピン
１２ａ  絡げ部
１２ｂ  接合部
１３    リード線
１４    圧着端子
１５    溝部
１６    キャップ
２０    ロータ
【図１】
0005588708.tif 000002
【図２】
0005588708.tif 000003
【図３】
0005588708.tif 000004
【図４】
0005588708.tif 000005
【図５】
0005588708.tif 000006
【図６】
0005588708.tif 000007